(57)【要約】【課題】低コストで長期間安定をして作動をさせる冷凍サイクルの電子膨張弁を提供する。【解決手段】冷媒を膨張させる小孔と、当該小孔を開閉する弁体と、前記小孔を閉止する態様で弁体を付勢する弾性部材と、前記小孔を開成する態様で弁体を吸引するソレノイドとを有し、前記弁体を開閉することにより、冷媒を膨張させる電子膨張弁において、前記弾性部材を渦巻き状に形成された複数のスリットを円周上互いに等ピッチに設けた円盤バネとすることにより、案内ガイドを不要として摺動によるスラッジの発生を抑制して長期間安定をして作動をさせる。【選択図】図２
2011196428.tif 000002
【特許請求の範囲】
【請求項１】
冷媒を膨張させる小孔と、当該小孔を開閉する弁体と、前記小孔を閉止する態様で弁体を付勢する弾性部材と、前記小孔を開成する態様で弁体を吸引するソレノイドとを有し、
前記弁体を開閉することにより、冷媒を膨張させる電子膨張弁において、
前記弾性部材が円盤状の盤面に渦巻き状に形成されるとともに互いに等ピッチで配設された複数のスリットを有する円盤バネであることを特徴とする電子膨張弁。
【請求項２】
前記弁体を一定のサイクルで開閉することを特徴とする請求項１に記載の電子膨張弁。
【発明の詳細な説明】
【技術分野】
【０００１】
本発明は、自動販売機等の冷凍サイクルに付設される電子膨張弁に係り、特にソレノイドをパルス通電して電磁力により弁体を開閉させて冷媒を制御する電子膨張弁に関する。
【背景技術】
【０００２】
電子膨張弁としては、ステッピングモータを使用して膨張通路の開度を変更して冷媒の膨張度を調整する制御性の高い電子膨張弁が知られている（例えば、特許文献１参照）が、ステッピングモータを使用するため高価となる。これに対して電磁弁を開閉することにより冷媒の膨張度を調整する安価なパルス駆動形膨張弁が知られている（例えば、特許文献２参照）。
【０００３】
このパルス駆動形膨張弁（冷媒流量制御装置）では、電磁弁をオン、オフ制御することにより蒸発器の出口冷媒の過熱度が所定の値となるようにして冷凍サイクルを高効率で運転することができるものである。このパルス駆動形膨張弁の作動構成は、ソレノイドにより弁体を開成し、コイルスプリングにより弁体を閉止するものである。
【先行技術文献】
【特許文献】
【０００４】
【特許文献１】特開２００３−３２９６９８号公報
【特許文献２】特開昭５３−１３５２号公報
【発明の概要】
【発明が解決しようとする課題】
【０００５】
しかしながら、特許文献２に記載されたような冷媒流量制御装置（電子膨張弁）では、復帰用の弾性部材として螺旋形状に曲折されて成形されているコイルスプリングが使用されているので、軸方向に荷重が加わると半径方向にも力が作用する結果、軸方向に駆動を規制する案内ガイドが必要となり、案内ガイドとプランジャー、スプリングの間で摺動することになる。その時、摺動する接面より発生するスラッジは、冷媒内を移送され弁座部、隙間部などに徐々に詰まり、開閉動作回数が数億回レベルに達するような長期間の使用時には、冷凍サイクルに動作不良を起こす虞がある。
【０００６】
本発明は、上記実情に鑑みなされたもので、上記の課題を解決して、長期間安定をして作動をさせる低コストの冷凍サイクルの電子膨張弁を提供することを目的とする。
【課題を解決するための手段】
【０００７】
上記の目的を達成するために、本発明の請求項１に係る電子膨張弁は、冷媒を膨張させる小孔と、当該小孔を開閉する弁体と、前記小孔を閉止する態様で弁体を付勢する弾性部材と、前記小孔を開成する態様で弁体を吸引するソレノイドとを有し、前記弁体を開閉することにより、冷媒を膨張させる電子膨張弁において、前記弾性部材が円盤状の盤面に渦巻き状に形成されるとともに互いに等ピッチで配設された複数のスリットを有する円盤バネであることを特徴とする。
【０００８】
本発明の請求項２に係る電子膨張弁は、請求項１に記載の電子膨張弁において、前記弁体を一定のサイクルで開閉することを特徴とする。
【発明の効果】
【０００９】
本発明に係る請求項１の電子膨張弁は、冷媒を膨張させる小孔を閉止する態様で弁体を付勢する弾性部材と、小孔を開成する態様で弁体を吸引するソレノイドとを有し、弁体を開閉することにより、冷媒を膨張させる電子膨張弁において、弾性部材が円盤状の盤面に渦巻き状に形成されるとともに互いに等ピッチで配設された複数のスリットを有する円盤バネとすることにより、弁体を半径方向には剛性を高くして好適に軸方向に駆動させるので、軸方向を規制する案内ガイドを不要とする結果、摺動によるスラッジの発生が抑制される。このことにより、長期間安定をして作動をさせる低コストの冷凍サイクルの電子膨張弁を提供することができる。
【図面の簡単な説明】
【００１０】
【図１】本発明の実施例に係る電子膨張弁を用いた冷媒回路図。
【図２】本発明の実施例に係る電子膨張弁の断面図。
【図３】図２の電子膨張弁のＡ−Ａ断面図。
【図４】図２の電子膨張弁の開成状態を示す断面図。
【図５】図１に示す冷凍回路を運転する制御装置のブロック図。
【図６】実施例に係る、３室を全て冷却する運転における冷媒の流れを示す冷媒回路図
【図７】実施例に係る、２室を加熱し１室を冷却する運転における冷媒の流れを示す冷媒回路図。
【発明を実施するための形態】
【００１１】
以下に添付図面を参照して、ヒートポンプ運転を行う自動販売機の冷媒回路に用いた本発明に係る電子膨張弁の好適な実施例を詳細に説明する。なお、この実施例によりこの発明が限定されるものではない。
【００１２】
図１は、１室は冷却専用で２室が冷却加熱兼用である３室の商品収納室を有する自動販売機のヒートポンプ運転用冷媒回路図である。なお、図中の点線の囲いは、冷却専用の商品収納室４０ａと、冷却加熱兼用の商品収納室４０ｂ、４０ｃを模式的に示している。
【００１３】
ヒートポンプ自動販売機の冷却／加熱ユニット１０は、自動販売機の下部に設けられた機械室内に圧縮機１１、凝縮器１２、電子膨張弁５０ａ、５０ｂ、５０ｃ、アキュムレータ１８、室外補助熱交換器１９を取設し、自動販売機の上部に設けられ商品収納室４０ａ、４０ｂ、４０ｃ内に蒸発器１５ａ、室内熱交換器１５ｂ、１５ｃを取設して各機器を冷媒配管で接続されることにより構成されている。冷却／加熱ユニット１０は、冷却加熱の運転設定モードに応じて、蒸発器１５ａ、室内熱交換器１５ｂ、１５ｃにより室内に冷却または加熱した空気を循環させて室内に取設された商品収納ラック内の商品を冷却または加熱するものである。
【００１４】
冷却加熱用の圧縮機１１は、冷媒を圧縮して回路内を循環させるためのもので、冷却単独運転時には、蒸発温度が約−１０℃、凝縮温度が約４０℃で使用され、冷却加熱運転（ヒートポンプ運転）時には、蒸発温度が約−１０℃、凝縮温度が約７０℃で使用される。例えば、冷媒にＲ１３４ａを使用した場合には、低圧は、約０．２ＭＰａ、高圧は冷却単独運転時には、約１ＭＰａ、冷却加熱運転時には、約２ＭＰａにて運転される。
【００１５】
凝縮器１２は、フィンチューブ型の熱交換器であり、その後部にはファン１２ｆが取設され、冷却運転時に余剰な凝縮熱を排出するためのものである。
分流器１４は、冷媒を蒸発器１５ａ，室内熱交換器１５ｂ、１５ｃに分配するためのものである。
【００１６】
蒸発器１５ａは、商品収納室４０ａを冷却するためのものであり、室内熱交換器１５ｂ、１５ｃは、商品収納室４０ｂ、４０ｃを冷却もしくは加熱するためのものである。また、蒸発器１５ａ、室内熱交換器１５ｂ、１５ｃは、各商品収納室の下部に取設され、その後方にファン１５ｆが取設され、その後方にダクトが取設されている。商品収納室内の冷却と加熱は、蒸発器１５ａ、室内熱交換器１５ｂ、１５ｃにより冷却もしくは加熱された空気を商品収納室内の商品に送風し、ダクトより循環回収することで行われる。
【００１７】
集合器１７は、蒸発器１５ａ，室内熱交換器１５ｂ、１５ｃから蒸発した冷媒を集合させて圧縮機１１へ戻すためのものである。
アキュムレータ１８は、集合器１７からの蒸発冷媒を流入し、気液分離させて液冷媒を貯留し、気体冷媒を圧縮機１１に戻すための密閉した容器である。また、アキュムレータ１８は、回路の冷媒循環に余った冷媒を貯留するための容器でもある。
【００１８】
室外補助熱交換器１９は、フィンチューブ型の熱交換器であり、加熱運転時に余剰な凝縮熱を排出するためのものである。
凝縮器電磁弁２１は、圧縮機１１から吐出される冷媒を凝縮器１２または室内熱交換器１５ｂ、１５ｃへ流れを切替えるための３方電磁弁である。加熱器電磁弁２１ｂ、２１ｃは、圧縮機１１から室内熱交換器１５ｂ、１５ｃへ圧縮された冷媒の通路を開閉するものである。  冷却器出口電磁弁２３ｂ，２３ｃは、室内熱交換器１５ｂ、１５ｃと圧縮機１１と間の蒸発された冷媒の通路を開閉するものである。
【００１９】
逆止弁２４、２４は、それぞれ室内熱交換器１５ｂ、１５ｃと室外補助熱交換器１９と間に接続され、冷却加熱運転時に高圧冷媒が室内熱交換器１５ｂ、１５ｃに流れることを阻止するためのものである。
【００２０】
逆止弁２４ｂ、２４ｃは、それぞれ電子膨張弁５０ｂ、５０ｃと加熱器電磁弁２１ｂ、２１ｃとの間に接続され、加熱器電磁弁２１ｂ、２１ｃからの高圧冷媒を電子膨張弁５０ｂ、５０ｃに流れることを阻止するためのものである。
【００２１】
逆止弁２５は、凝縮器１２の出口部と分流器１４の入口部との間に接続され、冷却加熱運転時に高圧冷媒が凝縮器１２へ流れることを阻止するためのものである。
蒸発器温度センサ２６ａ，２６ｂ，２６ｃは蒸発器１５ａ、室内熱交換器１５ｂ、１５ｃに取設され、蒸発器１５ａ、室内熱交換器１５ｂ、１５ｃの蒸発温度を検知するためのものである。
【００２２】
室内温度センサ４１ａ、４１ｂ、４１ｃは、商品収納室４０ａ、４０ｂ、４０ｃ内に取設され、商品収納室４０ａ、４０ｂ、４０ｃの室内温度を検知するためのものである。
電子膨張弁５０（５０ａ，５０ｂ，５０ｃ）は、冷却運転時に通過する冷媒を減圧して断熱膨張させるものであり、また、蒸発器１５ａ、室内熱交換器１５ｂ、１５ｃへ膨張した冷媒の通路を開閉する電磁弁を兼用している。図２、３を参照しつつ説明をする。電子膨張弁５０は、本体上部５１、本体下部５２、本体側部５３、弁座５４、アーマチャア５５、スペーサ５６、ピン５７、ソレノイド６１、止め金具６３ａ、６３ｂ、ナット６４および円盤バネ（弾性部材）７０を有して構成されている。
【００２３】
本体上部５１は、強磁性体の円柱部材であり、上部に冷媒入口管５８を挿入する流入部５１ａ、下部にアーマチャア５５を吸引する吸引部５１ｂ、中心軸上に冷媒入口管５８と連通した縦孔５１ｃ、その縦孔５１ｃと連通し半径に延在して電子膨張弁５０の本体内部６０に通じる横孔５１ｄを有している。冷媒入口管５８より流入される冷媒は、縦孔５１ｃ、横孔５１ｄを経由して電子膨張弁５０の本体内部６０に半径方向に流出される。
【００２４】
本体下部５２は、強磁性体の円柱部材であり、下部に冷媒出口管５９を挿入する流出部５２ａ、上部に弁座５４、アーマチャア５５を内装する内空間５２ｂ、中心軸上には弁座５４に形成されたオリフィス（小孔）５４ａと冷媒出口管５９とを連通させる孔５２ｃを有している。
【００２５】
本体側部５３は、非磁性体の円筒部材であり、本体上部５１、本体下部５２と係合して本体内部６０を形成している。
弁座５４は、非磁性体の円柱部材で本体下部５２と固着してあり、上面は平坦であり、中心軸上にオリフィス（小孔）５４ａが穿孔されている。
【００２６】
アーマチャア５５は、強磁性体の中央の径が大きな３段構造の円柱部材であり、上部は上端面が平坦な吸着部５５ａと、中部は内空間５２ｂとの間で十分な隙間を保持する側部５５ｂと、下部は下端面が平坦で弁座５４の上部と密着してオリフィス５４ａを閉止させる弁体５５ｃを有している。アーマチャア５５は、側部５５ｂの上端面と円盤バネ７０とをカシメにて固着されて、吸着部５５ａと吸引部５１ｂとの間に隙間６０ａを設けて取り付けられるとともに、円盤バネ７０により弁座５４に付勢される態様で取り付けられている。また、アーマチャア５５の側部５５ｂの周面には図３で示すように冷媒の通路となる溝５５ｄが軸方向に対向する態様で形成されている。
【００２７】
スペーサ５６は、非磁性体の円筒部材であり、本体上部５１、本体下部５２との間隔を規制するためのものである。
４個のピン５７は、円盤バネ７０を周縁４箇所で固定するための固定部材である。
【００２８】
冷媒入口管５８は、凝縮した冷媒を電子膨張弁５０に流入させるための配管であり、冷媒出口管５９は、電子膨張弁５０にて膨張した冷媒を電子膨張弁５０より流出させるための配管である。
【００２９】
ソレノイド６１は、アーマチャア５５を吸引して弁体５５ｃをオリフィス５４ａから開成するためのものであり、鉄芯６１ａとコイル６１ｂにより構成されている。ソレノイド６１は上部にネジ部を有し固定金具６３ａ、６３ｂを介してナット６４にて固定されている。
【００３０】
固定金具６３ａ、６３ｂは、強磁性体の平板部材であり、平面両端が半円上に形成され、ソレノイド６１を固定するとともに、本体上部５１、本体下部５２ともネジで固定するためのものである。
【００３１】
コイル６１ｂより発生する磁束は、鉄芯６１ａ、固定金具６３ａ、本体上部５１、間隙６０ａ、アーマチャア５５、本体下部５２、固定金具６３ｂから鉄芯６１ａに戻る磁気回路を流れる。
【００３２】
円盤バネ７０は、円盤状の薄板材にて構成された本体板（円盤状の盤面）７１と、円盤バネ７０を本体下部５２に固定するための固定孔７２と、本体板７１に互いに等ピッチで渦巻き状に形成されたスリット７３と、中心にアーマチャア５５と係合させるための中心孔７４を有して構成されている。渦巻き状に形成されたスリット７３は本体板７１上に４箇所等ピッチで形成されているので、軸方向の直進性が高く、かつ、半径方向への剛性が高い。そのため、コイルスプリングとは異なりアーマチャア５５が吸引部５１ｂに吸引される場合に、軸方向の駆動を規制する案内ガイドが不要となる。
【００３３】
かかる構成で、ソレノイド６１を通電すると、図４に示すようにアーマチャア５５の吸着部５５ａは本体上部５１の吸引部５１ｂに吸着し、弁体５５ｃと弁座５４との間に間隙６０ｂが形成される。このとき、冷媒入口管５８から流入する凝縮冷媒は、図中の矢印に示すように本体上部５１の縦孔５１ｃ、横孔５１ｄ、本体内部６０、円盤バネ７１のスリット７３、アーマチャア５５の溝５５ｄを経由して間隙６０ｂに流入し、オリフィス５４ａにて膨張され、気液二相の冷媒となり冷媒出口管５９より流出する。また、ソレノイド６１を一定のサイクルで通電を繰り返すことにより冷媒流量および冷凍サイクルの過熱度を制御することが出来る。
【００３４】
次に、冷却／加熱ユニット１０の冷媒回路構成について、図１を参照しつつ詳述する。冷媒回路は、室内を冷却のみを行う冷却単独回路１０Ａと、室内の冷却加熱を同時に行う冷却加熱回路（ヒートポンプ運転回路）１０Ｂと、を有している。
【００３５】
冷却単独回路１０Ａは、圧縮機１１より、凝縮器電磁弁２１、凝縮器１２、逆止弁２５を経由して分流器１４に接続し、分流器１４より一方は電子膨張弁５０ａ、蒸発器１５ａを経由して集合器１７に接続し、また、分流器１４より他方は電子膨張弁５０ｂ、５０ｃ、逆止弁２４ｂ、２４ｃ、室内熱交換器１５ｂ、１５ｃ、冷却器出口電磁弁２３ｂ、２３ｃを経由して集合器１７に接続し、集合器１７よりアキュムレータ１８を経由して圧縮機１１に戻る回路である。
【００３６】
一方、冷却加熱回路１０Ｂには、冷却単独回路１０Ａに加えて、凝縮器電磁弁２１の一の出口より並列接続された加熱器電磁弁２１ｂ、２１ｃを介して逆止弁２４ｂ、２４ｃと室内熱交換器１５ｂ、１５ｃ入口側との接続点１２１ｂ、１２１ｃとそれぞれ接続する管路と、室内熱交換器１５ｂ、１５ｃの出口側（図中右側）からそれぞれ逆止弁２４，２４を介して結合した後、室外補助熱交換器１９を経由して分流器１４へ接続する管路とが設けられている。
【００３７】
しかして、冷却加熱回路１０Ｂは、圧縮機１１から凝縮器電磁弁２１、加熱器電磁弁２１ｂ、２１ｃを経由して室内熱交換器１５ｂ、１５ｃに接続され、室内熱交換器１５ｂ、１５ｃから逆止弁２４、２４、室外補助熱交換器１９を経由して分流器１４に接続され、分流器１４から電子膨張弁５０ａを経由して蒸発器１５ａに接続され、集合器１７、アキュムレータ１８を経由して圧縮機１１に戻る回路である。
【００３８】
制御装置９０は、商品収納室４０ａ、４０ｂ、４０ｃを冷却加熱の設定運転モードにより冷却もしくは加熱の制御をするものである。図５に示すように内部にＣＰＵ、メモリを有し、冷却加熱モード設定ＳＷ９１の設定運転モード、各室の温度、蒸発温度に対応して冷媒回路の圧縮機運転、電磁弁開閉、電子膨張弁などの制御を行う。室内の温度制御において、制御装置９０は、室内温度センサ４１ａ、４１ｂ、４１ｃにより検知した温度により、圧縮機１１、凝縮器電磁弁２１、電子膨張弁５０ａ，５０ｂ，５０ｃ、冷却器出口電磁弁２３ｂ、２３ｃ、加熱器電磁弁２１ｂ、２１ｃなどを制御し、室内を一定温度範囲内でＯＮ・ＯＦＦ制御するサーモサイクル運転を行うことにより室内温度を適温に維持する。
【００３９】
また、電子膨張弁５０の制御において、制御装置９０は、蒸発器温度センサ２６ａ、２６ｂ、２６ｃにより検知した温度により、電子膨張弁５０ａ，５０ｂ，５０ｃをパルス駆動制御して冷媒流量、蒸発温度を制御する。具体的には、制御装置９０は、一定のサイクル時間（例えば１０秒）毎にデューティー比（サイクル時間に対するＯＮ時間の割合）を３０〜１００％の範囲でパルス信号を送り、電子膨張弁５０ａ，５０ｂ，５０ｃ内の弁体５５ｂを開閉することにより、蒸発器１５ａ、室内熱交換器１５ｃ、１５ｂの蒸発温度を所定の温度に制御する。
【００４０】
かかる構成で冷却加熱モード設定ＳＷ９１の操作によりすべての商品収納室を冷却する運転モードに設定すると、制御装置９０は冷却器出口電磁弁２３ｂ、２３ｃを開成し、加熱器電磁弁２１ｂ、２１ｃを閉止し、凝縮器電磁弁２１を冷媒が凝縮器１２側に流通する態様で通路切替えを行う。このとき、冷媒は図６の太線で示すように流れ、具体的には、圧縮機１１で圧縮された高温冷媒は、凝縮器電磁弁２１を介して凝縮器１２にて凝縮され液体となり、分流器１４で三方に分流され電子膨張弁５０ａ、５０ｂ、５０ｃで膨張して低温の気液二相流となり、蒸発器１５ａ、室内熱交換器１５ｂ、１５ｃに流入する。流入した冷媒は、蒸発器１５ａ、室内熱交換器１５ｂ、１５ｃで蒸発して商品収納室４０ａ、４０ｂ、４０ｃを冷却し、蒸発した冷媒は集合器１７にて集合しアキュムレータ１８を介して気液分離されて、気相が圧縮機１１に戻る。
【００４１】
なお、この冷却は、制御装置９０にて室内温度センサ４１ａ、４１ｂ、４１ｃによるサーモサイクル運転により室内温度が適温に制御される。また、制御装置９０は、蒸発器１５ａ、室内熱交換器１５ｂ、１５ｃの蒸発温度が所定の温度となるように電子膨張弁５０ａ，５０ｂ，５０ｃにデューティー比を変えてパルス信号を送る。すなわち、制御装置９０は、蒸発温度が所定の温度よりも高い場合には、デューティー比の大きいパルス信号を送る。
【００４２】
上述の制御は、室内温度が適温になるまでこの運転が継続され、一の商品収納室が適温となれば、その商品収納室に対応した電子膨張弁５０への通電を遮断して弁体５５ｂを閉止する。そして、上述の制御は、すべての商品収納室が適温となるまで継続される。
【００４３】
次に、冷却加熱モード設定ＳＷ９１の操作により設定モードを左側の商品収納室４０ａを冷却し、中、右側の商品収納室４０ｂ、４０ｃを加熱する運転モードに設定すると、制御装置９０は、加熱器電磁弁２１ｂ、２１ｃを開成し、電子膨張弁５０ｂ、５０ｃ、冷却器出口電磁弁２３ｂ、２３ｃを閉止し、凝縮器電磁弁２１を冷媒が加熱器電磁弁２１ｂ、２１ｃ側に流通する態様に通路切替えを行う。このとき圧縮機１１で圧縮された高温冷媒は、図７の太線で示すように、凝縮器電磁弁２１、加熱器電磁弁２１ｂ、２１ｃ、接続点１２１ｂ、１２１ｃを経由して室内熱交換器１５ｂ、１５ｃに流入する。室内熱交換器１５ｂ、１５ｃに流入した冷媒は凝縮して商品収納室４０ｂ、４０ｃを加熱し、逆止弁２４，２４を介して集合し、室外補助熱交換器１９でさらに凝縮して分流器１４を経由して電子膨張弁５０ａに流入する。電子膨張弁５０ａに流入した冷媒は、膨張して低温低圧の気液二相流となり蒸発器１５ａに流入する。蒸発器１５ａに流入した冷媒は、蒸発して商品収納室４０ａを冷却し、集合器１７、アキュムレータ１８を経由して圧縮機１１に戻る。このヒートポンプ運転も前述のように蒸発器１５ａの蒸発温度が所定の温度となるように電子膨張弁５０ａを制御し、サーモサイクル運転で室内が適温に維持される。
【００４４】
このように、上述の電子膨張弁５０ａ，５０ｂ，５０ｃは、冷媒を膨張させるオリフィス５４ａを閉止する態様で弁体５５ｃを付勢する円盤バネ７０と、オリフィス５４ａを開成する態様で弁体５５ｃを吸引するソレノイド６１とを有し、弁体５５ｃを開閉することにより、冷媒を膨張させ、円盤バネ７０に渦巻き状に形成された複数のスリット７３を円周上互いに等ピッチに設けたことにより、弁体５５ｃを半径方向には剛性を高くして好適に軸方向に駆動させるので、軸方向を規制する案内ガイドを不要とする結果、摺動によるスラッジの発生が抑制される。このことにより、長期間安定をして作動をさせる低コストの冷凍サイクルの電子膨張弁を提供することができる。
【産業上の利用可能性】
【００４５】
以上のように、本発明に係る電子膨張弁は、自動販売機、空調機器等の冷却または加熱をする冷媒回路を有する機器に使用することに適している。
【符号の説明】
【００４６】
１０    冷却／加熱ユニット
１１    圧縮機
１２    凝縮器
１５ａ    蒸発器
１５ｂ、１５ｃ    室内熱交換器
２１    凝縮器電磁弁
２１ａ、２１ｂ    加熱器電磁弁
２３ｂ、２３ｃ    冷却器出口電磁弁
４０ａ、４０ｂ、４０ｃ    商品収納室
５０ａ、５０ｂ、５０ｃ    電子膨張弁
５４    弁座
５４ａ    オリフィス（小孔）
５５    アーマチャア
５５ｃ    弁体
６１    ソレノイド
９０    制御装置
９１    設定モード選択ＳＷ
【図１】
2011196428.tif 000003
【図２】
2011196428.tif 000004
【図３】
2011196428.tif 000005
【図４】
2011196428.tif 000006
【図５】
2011196428.tif 000007
【図６】
2011196428.tif 000008
【図７】
2011196428.tif 000009